(57)【要約】【課題】遊技機は、遊技者が外部から容易に音量を調整できる音響装置を備える。【解決手段】遊技機１は前面扉２が開閉する筐体１ａと、少なくとも効果音を出力する一つ以上の音響装置２０とを備える。音響装置２０は、前面扉２に取り付けられて外部に向かって円錐状に開く開口を有するコーン型スピーカ１３Ｒを備え、コーン型スピーカ１３Ｒは、その開口の中心に向かって当該開口を縮径可能な絞り機構５０を有し、絞り機構５０は外部から操作される。【選択図】図２
2008264343.tif 000002
【特許請求の範囲】
【請求項１】
前面扉が開閉する筐体と、少なくとも効果音を出力する一つ以上の音響装置と、を備える遊技機であって、
前記音響装置は、前記前面扉に取り付けられて外部に向かって円錐状に開く開口を有するコーン型スピーカを備え、
前記コーン型スピーカは、前記開口の中心に向かって当該開口を縮径可能な絞り手段を有し、
前記絞り手段は、外部から操作されることを特徴とする遊技機。
【請求項２】
前記絞り手段は、共働的に回動して前記開口の絞り口径を変える複数の絞り羽根を備えることを特徴とする請求項１記載の遊技機。
【請求項３】
前記絞り手段は、前記コーン型スピーカを固定して当該開口を囲う基板と、この基板に支持されて前記開口を中心に当該開口の外延を回動可能な回転リングと、この回転リングから突出して把持可能なレバーと、を備え、
前記基板は、前記開口の周囲に等間隔に立設する複数の軸ピンを有し、
前記回転リングは、前記開口の周囲に等間隔に形成される前記軸ピンと同数のカム溝を有し、
前記絞り羽根は、略三角形状を形成する外形と、この外形の第１の隅部に設けられて前記軸ピンと回動自在に連結する回転中心と、前記外形の第２の隅部に固定されて前記カム溝に案内される従動ピンと、を有し、
前記レバーを回動すると、前記複数の絞り羽根は、前記回転中心を中心に共働的に回動して前記外形の第３の隅部が前記開口の絞り口径を変えることを特徴とする請求項２記載の遊技機。
【請求項４】
前記回転リングは、遠心方向に突出する突起部を有し、
前記基板は、前記突起部に当接して所定距離、離間する一対のストップピンを有し、
前記一対のストップピンは、前記回転リングの回動角度を規定することを特徴とする請求項３記載の遊技機。
【請求項５】
前記音響装置は、前記前面扉に取り付けられて前記コーン型スピーカの開口を覆うパンチングネットを備えることを特徴とする請求項１から４のいずれかに記載の遊技機。
【発明の詳細な説明】
【技術分野】
【０００１】
本発明は、遊技機に関する。特に、パチンコ機やスロットマシンなどの遊技機に配置される音響装置の構造に関する。
【背景技術】
【０００２】
一般に、スロットマシンなど遊技機は、遊技状態に応じて遊技の演出効果や興趣性を高めるべく、音響装置から効果音が出力されるように構成されている。例えば、スロットマシンなど遊技機は、複数列のリールの外周面に描かれた図柄が所定の組み合わせになって入賞すると効果音が出力される。
【０００３】
このような従来の遊技機は、本体の内部には効果音を出力する音響装置としての一対のスピーカが取り付けられている。そして、これらスピーカは、筐体の前面を開閉する前面扉の裏面側に裸のまま取り付けられている。
【０００４】
このようなスピーカの取り付け構造では、喧噪したホールでは充分な音量の効果音を遊技者に伝達することができないという不具合があった。又、スピーカを介して不正器具が筐体内部に挿入されて不正行為が行われるという不具合もあった。
【０００５】
前述した不具合に対して、バランスのとれた効果音が得られ、喧噪したホールでも充分な音質の効果音を遊技者に伝達することができると共に、不正行為を防止できる遊技機が発明されている（例えば、特許文献１参照）。
【０００６】
特許文献１による遊技機は、箱型状に形成される筐体と、遊技状態に応じた効果音を出力する音響再生手段とを備え、この音響再生手段は、スピーカと、このスピーカの後段に密接している共鳴部材とで構成されている。そして、共鳴部材は、少なくとも筐体内の左右側面に沿って閉塞空間を形成するように設けられている。
【０００７】
特許文献１によれば、スピーカから出力された再生音が共鳴部材によって共鳴されるので、再生音、特に低音特性が乱れなくなると共に、スピーカの最低共振周波数特性が改善されるので、バランスのとれた再生音が得られるようになり、喧噪したホールでも充分な音量の効果音を遊技者に伝達することができる、としている。又、筐体は、共鳴部材が配設されることによって、筐体内の左右側面に閉塞空間が形成されているので、筐体の側面に不正器具が挿入されても、それ以上は筐体内部に進入できなくなり、不正行為の防止を強化できる、としている。
【０００８】
又、特許文献１による遊技機は、共鳴部材には、遊技状態に応じて開度が調整される絞り弁が備えられているので、スピーカの背面側から閉塞空間に向かって出力された再生音は、その再生音が伝達される経路の太さが絞り弁によって可変されることによって、遊技状態に応じて再生音の共鳴速度が可変されるので、残響や余韻などの多種多彩な効果音の表現が可能となる、している。又、絞り弁が閉塞空間内に異物が挿入された際の抵抗体となるので、不正行為の防止を強化できる、としている。
【特許文献１】特開２００４−２２３０７１号公報
【発明の開示】
【発明が解決しようとする課題】
【０００９】
特許文献１による遊技機は、スピーカから出力される再生音の質を向上できる。又、特許文献１による遊技機は、再生音の伝達される経路の太さが絞り弁で可変されることによって、遊技状態に応じて再生音の共鳴速度を可変できる。
【００１０】
しかし、特許文献１による遊技機は、スピーカから出力される再生音の音量を容易に調整できないという問題がある。一般に、スロットマシンなどの遊技機では、音量を調整するボリューム（スイッチ）が本体の内部に配置されているので、音量を調整するためには、前面扉を開く必要がある。ここで、どの程度の音量が快適であるかは個人差があり、遊技者自らが外部から容易に音量を調整できれば、遊技が快適になる。したがって、遊技者自らが外部から容易に音量を調整できる音響装置が望まれる。そして、以上のことが、本発明の課題といってよい。
【００１１】
本発明は、このような問題に鑑みてなされたものであり、遊技者自らが外部から容易に音量を調整できる音響装置を備える遊技機を提供することを目的とする。
【課題を解決するための手段】
【００１２】
本発明者は、上記目的を達成するため、コーン型スピーカの開口面積を外部から可変することにより、容易に音量を調整できることを見出し、これに基づいて、以下のような新たな音響装置を備える遊技機を発明するに至った。
【００１３】
（１）  前面扉が開閉する筐体と、少なくとも効果音を出力する一つ以上の音響装置と、を備える遊技機であって、前記音響装置は、前記前面扉に取り付けられて外部に向かって円錐状に開く開口を有するコーン型スピーカを備え、前記コーン型スピーカは、前記開口の中心に向かって当該開口を縮径可能な絞り手段を有し、前記絞り手段は、外部から操作されることを特徴とする遊技機。
【００１４】
（１）の発明による遊技機は、前面扉が開閉する筐体と、一つ以上の音響装置を備えている。音響装置は、少なくとも効果音を出力する。音響装置は、コーン型スピーカを備えている。コーン型スピーカは、前面扉に取り付けられており、外部に向かって円錐状に開く開口を有している。又、コーン型スピーカは、絞り手段を有している。絞り手段は、開口の中心に向かって開口を縮径可能となっている。そして、絞り手段は、外部から操作される。
【００１５】
ここで、音響装置は、遊技機に一つ備えてもよく、所定距離、離間して一対に配置してよく（２スピーカシステム）、遊技機の上下に一対一組に配置してもよく（４スピーカシステム）、コーン型スピーカが前面扉に取り付けられている。
【００１６】
コーン型スピーカは、金属製のフレームに取り付けられたコーン紙を振動させて出音されてよく、このコーン紙は、振動板であってよく、コーン紙の頂部に接続されたボビンの外周に巻き付けられたボイスコイルの動きが振動板に伝わり、周りの空気を振動させて音に変えている。そして、コーン型スピーカは、頂部から外部に向かって円錐状に開く円形の開口を有している。
【００１７】
コーン紙の開口の周縁は、無用な音を吸収するエッジでフレームの開口端に接続されてよく、本発明は、このエッジもコーン型スピーカの開口に含まれる。例えば、このフレームの開口端にはフランジが形成されており、このフランジに設けられた係止穴を利用して、ねじなどの締結具でコーン型スピーカを前面扉に固定できる。又、本発明は、コーン紙の片側だけが直接外気と接するような箱（エンクロージャー）に収容してコーン型スピーカを使用することを排除しない。
【００１８】
開口の中心に向かって開口を縮径可能とする絞り手段は、後述するように、共働的に回動して開口の絞り口径を変える複数の絞り羽根を備える絞り機構（又は、シャッタ機構）で実現してよく、絞り手段は、外部から操作される。外部から操作されてコーン型スピーカの開口を縮径可能とする絞り手段は、全て（１）の発明に含まれる。
【００１９】
絞り手段が外部から操作されて、コーン型スピーカの開口が縮径されると、コーン型スピーカの開口面積が小さくなるので、外部に出音される音量が小さくなる。絞り手段が外部から操作されて、コーン型スピーカの開口が拡径されると、コーン型スピーカの開口面積が大きくなるので、外部に出音される音量が大きくなる。
【００２０】
このように、（１）の発明による遊技機は、スピーカの出力が本体内部から操作されることなく、外部からの操作によりスピーカの開口面積を物理的に可変することにより、個人差に対応して遊技者が容易にスピーカの音量を調整できる。そして、遊技者は快適に遊技できる。
【００２１】
（２）  前記絞り手段は、共働的に回動して前記開口の絞り口径を変える複数の絞り羽根を備えることを特徴とする（１）記載の遊技機。
【００２２】
例えば、絞り手段は、複数の絞り羽根は互いにリンクで連結されて、一つの羽根を移動することにより、複数の絞り羽根が共働的に回動して開口の絞り口径を変えるリンク装置であってよく、後述するように、複数の絞り羽根と回転リングとがカム装置を構成し、回転リングを回動すると、複数の絞り羽根が共働的に回動して開口の絞り口径を変えるカム装置であってもよい。
【００２３】
（２）の発明による遊技機は、コーン型スピーカの開口を縮径可能な絞り手段が共働的に回動して前記開口の絞り口径を変える複数の絞り羽根で構成されているので、コーン型スピーカの開口面積を無段階（略リニア）に外部から可変できる。
【００２４】
（３）  前記絞り手段は、前記コーン型スピーカを固定して当該開口を囲う基板と、この基板に支持されて前記開口を中心に当該開口の外延を回動可能な回転リングと、この回転リングから突出して把持可能なレバーと、を備え、前記基板は、前記開口の周囲に等間隔に立設する複数の軸ピンを有し、前記回転リングは、前記開口の周囲に等間隔に形成される前記軸ピンと同数のカム溝を有し、前記絞り羽根は、略三角形状を形成する外形と、この外形の第１の隅部に設けられて前記軸ピンと回動自在に連結する回転中心と、前記外形の第２の隅部に固定されて前記カム溝に案内される従動ピンと、を有し、前記レバーを回動すると、前記複数の絞り羽根は、前記回転中心を中心に共働的に回動して前記外形の第３の隅部が前記開口の絞り口径を変えることを特徴とする（２）記載の遊技機。
【００２５】
（３）の発明による遊技機は、絞り手段が基板と回転リングとレバーを備えている。基板は、コーン型スピーカを固定して開口を囲っている。回転リングは、基板に支持されており、開口を中心に開口の外延を回動可能となっている。レバーは、回転リングから突出して把持可能となっている。
【００２６】
基板は、開口の周囲に等間隔に立設する複数の軸ピンを有している。回転リングは、開口の周囲に等間隔に形成される軸ピンと同数のカム溝を有している。絞り羽根は、略三角形状を形成する外形を有している。そして、絞り羽根は、軸ピンと回動自在に連結する回転中心を外形の第１の隅部に設けている。又、絞り羽根は、カム溝に案内される従動ピンを外形の第２の隅部に固定している。
【００２７】
そして、（３）の発明による遊技機は、レバーを回動すると、複数の絞り羽根は、前記回転中心を中心に共働的に回動して外形の第３の隅部が開口の絞り口径を変えることができる。
【００２８】
ここで、回転リングは、動節（カム）として機能し、複数のカム溝を有している。絞り羽根は、従動節（カムフォロワ）として機能し、カム溝の輪郭に案内されて所定の運動をする。基板は、カム及びカムフォロワを支持するフレームとして機能する。
【００２９】
このように、回転リングと絞り羽根は、カム装置を構成しており、このカム装置は、カムとカムフォロワの接触点の軌跡が平面曲線である平面カムとなっている。又、このカム装置は、カムフォロワの軌跡が拘束されて確実に運動する確動カムとなっている。
【００３０】
基板は、コーン型スピーカの開口と同軸に円形開口が設けられてよく、この円形開口の周囲に複数の絞り羽根が配置される。絞り羽根の枚数は、円形開口の半径などにより適宜に選択されてよく、例えば６枚の絞り羽根が配置される。
【００３１】
軸ピンは、この円形開口の周囲に立設してよく、この軸ピンに絞り羽根の回転中心が連結される。絞り羽根は、回転中心を中心とした回動運動のみが許容される。回転リングは、基板に支持されて、開口を中心に回動運動のみが許容される。回動運動とは所定の角度範囲で双方向に揺動することを意味している。
【００３２】
回転リング（レバー）を一方の方向に回動すると、カム溝に従動されて、絞り羽根は、第３の隅部が円形開口を閉じる方向に移動する。複数の絞り羽根は、共働的に回動するので、６枚の絞り羽根であれば、円形開口を略正六角形の口径に縮径できる。
【００３３】
回転リング（レバー）を他方の方向に回動すると、カム溝に従動されて、絞り羽根は、第３の隅部が円形開口を開く方向に移動する。複数の絞り羽根は、共働的に回動するので、６枚の絞り羽根であれば、円形開口を略正六角形の口径に拡径できる。なお、円形開口を最大に拡径して、第３の隅部が円形開口を塞がない全開状態も可能である。
【００３４】
（３）の発明による遊技機は、複数の絞り羽根と回転リングとがカム装置を構成し、外部からレバーを回動すると、複数の絞り羽根が共働的に回動して、コーン型スピーカの開口の絞り口径を変えるカム装置を提供できる。
【００３５】
（４）  前記回転リングは、遠心方向に突出する突起部を有し、前記基板は、前記突起部に当接して所定距離、離間する一対のストップピンを有し、前記一対のストップピンは、前記回転リングの回動角度を規定することを特徴とする（３）記載の遊技機。
【００３６】
（５）  前記音響装置は、前記前面扉に取り付けられて前記コーン型スピーカの開口を覆うパンチングネットを備えることを特徴とする（１）から（４）のいずれかに記載の遊技機。
【発明の効果】
【００３７】
本発明による遊技機は、スピーカの出力が本体内部から操作されることなく、外部からの操作によりスピーカの開口面積を物理的に可変することにより、個人差に対応して遊技者が容易にスピーカの音量を調整できる。そして、遊技者は快適に遊技できる。
【発明を実施するための最良の形態】
【００３８】
以下、図面を参照して本発明を実施するための最良の形態を説明する。
【００３９】
図１は、本発明による遊技機の一実施形態を示す斜視外観図である。図２は、前記実施形態による遊技機に備わる音響装置の縦断面図である。図３は、前記実施形態による遊技機に備わる音響装置に用いられる絞り機構の平面図である。
【００４０】
図１において、遊技機１は、いわゆるパチスロ機である。遊技機１は、コイン、メダル、遊技球又はトークンなどの他、遊技者に付与された、又は付与される遊技価値の情報を記憶したカードなどの遊技媒体を用いて遊技する遊技機であるが、以下ではメダルを用いるものとして説明する。
【００４１】
図１において、遊技機１は筐体１ａを有しており、筐体１ａには開閉可能に前面扉２が取り付けられている。前面扉２の正面には、略垂直面であるパネル表示部２ａと、画像の表示による演出を行う画像表示手段として用いられる液晶表示部２ｂと、固定表示部２ｃとが形成されている。又、前面扉２の背後には、遊技に必要な複数種類の図柄が各々の外周面に描かれた図柄表示手段として用いられる３個のリール３Ｌ・３Ｃ・３Ｒが、回転自在に横一列に設けられている。各リール３Ｌ・３Ｃ・３Ｒは、一定の速度で回転する（例えば、８０回転／分）。
【００４２】
パネル表示部２ａ、液晶表示部２ｂ、及び固定表示部２ｃの下方には略水平面の台座部４が形成されている。台座部４の右側には、メダルを投入するためのメダル投入口５が設けられている。投入されたメダルは、クレジットされるか、ゲームに賭けられる。又、台座部４の左側には、押下操作により、クレジットされているメダルを賭けるための１−ＢＥＴスイッチ６、２−ＢＥＴスイッチ７、及び最大ＢＥＴスイッチ８が設けられている。
【００４３】
１−ＢＥＴスイッチ６は、１回の押し操作により、クレジットされているメダルのうちの１枚がゲームに賭けられ、２−ＢＥＴスイッチ７は、１回の押し操作により、クレジットされているメダルのうちの２枚がゲームに賭けられ、最大ＢＥＴスイッチ８は、１回のゲームに賭けることが可能な最大枚数のメダルが賭けられる。
【００４４】
これらのＢＥＴスイッチ６〜８を操作することにより、所定の表示ラインが有効化される。ＢＥＴスイッチ６〜８の操作及びメダル投入口５にメダルを投入する操作（遊技を行うためにメダルを投入する操作）は、「ＢＥＴ操作」と呼ばれる。又、ＢＥＴスイッチ６〜８の上方には、操作部９が設けられている。操作部９は、液晶表示装置に遊技履歴などの情報を表示するために操作される。
【００４５】
台座部４の前面部の左寄りには、遊技者がゲームで獲得したメダルのクレジット／払出しを押しボタン操作で切り換えるＣ／Ｐスイッチ１０が設けられている。Ｃ／Ｐスイッチ１０の切り換えにより、正面下部のメダル払出口１１からメダルが払出され、払出されたメダルはメダル受け部１２に溜められる。メダル受け部１２の上方の左右には、効果音などを出音することで音による演出を行う音演出手段としての一対のコーン型スピーカ（以下、スピーカと略称する）１３Ｌ・１３Ｒが設けられている。
【００４６】
Ｃ／Ｐスイッチ１０の右側には、遊技者の操作により上記リールを回転させ、図柄表示領域内で図柄の変動表示を開始するための開始操作手段として用いられるスタートレバー１４が所定の角度範囲で傾動自在に取り付けられている。
【００４７】
台座部４の前面部中央において、スタートレバー１４の右側には、停止操作手段として用いられる停止ボタンユニット１５が設けられている。この停止ボタンユニット１５は、３個のリール３Ｌ・３Ｃ・３Ｒの回転をそれぞれ停止させるために遊技者が押圧操作可能な停止操作部として機能する３個の停止ボタン１６Ｌ・１６Ｃ・１６Ｒを備える。
【００４８】
なお、図示の例では、一のゲーム（単位遊技）は、基本的にスタートレバー１４が操作されることにより開始し、全てのリール３Ｌ・３Ｃ・３Ｒが停止したときに終了する。
【００４９】
パネル表示部２ａは、図示はしないがボーナス遊技情報表示部、ＢＥＴランプ群、払出表示部、及びクレジット表示部を備えており、ボーナス遊技情報表示部は、例えば、７セグメントＬＥＤからなり、ボーナス中の遊技情報を表示する。ＢＥＴランプ群として１−ＢＥＴランプ、２−ＢＥＴランプ、及び最大ＢＥＴランプがあり、これらのランプは、一のゲームを行うために賭けられたメダルの数（以下「ＢＥＴ数」という）に応じて点灯する。
【００５０】
つまり、１−ＢＥＴランプは、ＢＥＴ数が１枚のときに点灯する。２−ＢＥＴランプは、ＢＥＴ数が２枚のときに点灯する。最大ＢＥＴランプは、ＢＥＴ数が３枚のときに点灯する。払出表示部及びクレジット表示部は、それぞれ７セグメントＬＥＤからなり、入賞が成立した時（役が成立したとき）のメダルの払出枚数及びクレジットされているメダルの枚数を表示する。
【００５１】
液晶表示部２ｂは、図示はしないが、図柄表示領域、窓枠表示領域、及び演出表示領域を有している。この液晶表示部２ｂの表示内容は、リール３Ｌ・３Ｃ・３Ｒの回転及び停止態様、及び液晶表示装置（図示せず）の動作により変化する。図柄表示領域は、各リール３Ｌ・３Ｃ・３Ｒに対応して設けられ、リール３Ｌ・３Ｃ・３Ｒ上に配置された図柄の表示や、種々の演出表示を行う。
【００５２】
図柄表示領域には、表示ラインとして、水平方向にトップライン、センターライン、及びボトムライン、並びに、斜め方向にクロスアップライン及びクロスダウンラインが設けられる。これらの表示ラインは、遊技者が、前述のＢＥＴスイッチ６〜８を押下操作すること、又はメダル投入口５にメダルを投入することにより、それぞれ１本、３本、５本が有効化される。どの表示ラインが有効化されたかは、前述のＢＥＴランプの点灯で表示される。なお、表示ラインは、役の成否に関わる。
【００５３】
図柄表示領域は、少なくとも、対応するリール３Ｌ・３Ｃ・３Ｒが回転中のとき、及び、対応する停止ボタン１６Ｌ・１６Ｃ・１６Ｒが押圧操作可能なとき、遊技者がリール３Ｌ・３Ｃ・３Ｒ上の図柄を視認できるように、透過状態となる。
【００５４】
窓枠表示領域は、各図柄表示領域を囲むように設けられ、リール３Ｌ・３Ｃ・３Ｒの前面に配置された図柄表示領域の窓枠を表したものである。演出表示領域は、液晶表示部２ｂの領域のうち、図柄表示領域及び窓枠表示領域以外の領域である。この演出表示領域は、ボーナスが成立可能であることを確定的に報知する画像（例えば、告知ランプ）の表示、ゲームの興趣を増大するための演出、遊技者がゲームを有利に進めるために必要な情報などの表示を行う。
【００５５】
固定表示部２ｃは、予め定めた図、絵などが描かれる領域である。固定表示部２ｃに描かれた図、絵などと、演出表示領域に表示された画像を連接させることにより一つの静止画像又は動画像を表示できるようにしてもよい。
【００５６】
前述のように、スピーカ１３Ｌ・１３Ｒからは効果音などの音響が出力されるが、これらスピーカ１３Ｌ・１３Ｒは、音響装置（図示せず）の一部を構成している。つまり、音響装置は、スピーカ１３Ｌ・１３Ｒを有している。
【００５７】
ところで、前述したように、スロットマシンなどの遊技機では、スピーカ１３Ｌ・１３Ｒの音量を調整するためのボリューム（スイッチ）が筐体１ａの内部に配置されている。そして、音量を調整するためには、前面扉２を開く必要があるが、不正防止の観点から、遊技中などに前面扉２を開くことは好ましくない。したがって、結果的にボリュームは所定の音量に固定されるとことになる。しかし、どの程度の音量が快適であるかは個人差があり、所定の音量に設定されて音量の調整ができないと、遊技者によってはスピーカ１３Ｌ・１３Ｒからの音響が快適に感じないこともある。
【００５８】
そこで、本実施の形態では、前面扉２を開くことなく、スピーカ１３Ｌ・１３Ｒからの音響を調整できるようにした。以下、音響装置の構成と作用を説明する。
【００５９】
図１に示す遊技機１では、２つの音響装置が備えられており、これら音響装置は、スピーカ１３Ｌ及びスピーカ１３Ｒを有している。これら音響装置の構成は同一であるので、ここでは、スピーカ１３Ｒを備える音響装置について説明する。
【００６０】
図２において、音響装置２０は、スピーカ１３Ｒを備えており、スピーカ１３Ｒは前面が開口されたスピーカボックス（スピーカ筐体）２１に収納されている。図示のスピーカ１３Ｒはコーン型スピーカであって、スピーカ１３Ｒは前面扉２に取り付けられ、外部（前面側）に向かって円錐状に開く開口を有している。そして、スピーカ１３Ｒは、後述する絞り機構を有しており、この絞り機構によって、スピーカ１３Ｒの円錐状開口が当該開口の中心に向かって縮径可能となっている。
【００６１】
前面扉２はパネル体２２を有し、パネル体２２は前面に臨んでいる。パネル体２２には開口部が形成され、この開口部を塞ぐようにして、パネル体２２にはパンチングネット２３が取り付けられている。パンチングネット２３は、スピーカ１３Ｒを保護するためのものである。
【００６２】
図２において、パネル体２２の後方には、基板２４が配設されている。パンチングネット２３に対応付けて、基板２４には円形開口部２４ａが形成されている。前述のスピーカボックス２１は、その開口を基板２４の円形開口部２４ａに対応させて、基板２４に取り付けられており、これによって、スピーカ１３Ｒの円錐状開口は基板２４の円形開口部２４ａに臨んでいる。ここで、円錐開口と円形開口部２４ａとは略同軸に配置されている。
【００６３】
次に、スピーカ１３Ｒの構造を説明する。スピーカ１３Ｒは基台３０を有し、基台３０上にはマグネット３１が配設されている。マグネット３１上にはプレート３２が配設されている。基台３０の中心部にはポールピース（ボビン）３３が位置付けられており、プレート３２にはフレーム３４の一端が取り付けられ、フレーム３４は円錐状に延びている。
【００６４】
フレーム３４の前面側には、フレーム３４と離間して、コーン本体（コーン紙又は振動板）３５が位置付けられている。コーン本体３５の一端は、ポールピース３３に設けられたコーン頂部３６に連結され、コーン本体３５の他端は、無用な音を吸収するエッジ３７を介してフレーム３４の他端側に連結されている。
【００６５】
なお、フレーム３４の他端側に形成されたフランジ３８には固定用ボルト穴（図示せず）が形成されており、この固定用ボルト穴を用いてスピーカ１３Ｒがスピーカボックス２１に固定される。
【００６６】
図２において、ポールピース３３の周面には、プレート３２の内周面と対向する位置に、ボイスコイル３９が配設されている。そして、コーン本体３５にはコーン頂部３６を覆うようにしてダストカバー４０が配置され、コーン本体３５の基端（一端）とフレーム３４とを結ぶようにして、スパイダー４１が配置されている。そして、スピーカ１３Ｒは、頂部から外部に向かって円錐状に開く円形の開口を有している。
【００６７】
上述のスピーカ１３Ｒにおいては、ボイスコイル３９に音響に応じた電流が流れると、この電流の強さに応じてコーン全体が前方に動いて音波が発生し、この音波が音響として、基板２４の開口、パンチングネット２３を通って外部に出音される。
【００６８】
図２において、スピーカ１３Ｒから出力される音響の強さ（音量）を調節するための絞り機構（絞り手段）５０を有している。次に、図３も参照して、絞り機構５０の構造を説明する。絞り機構５０は、基板２４に設けられており、後述するようにして、基板２４の円形開口部２４ａの面積を変化させ、これによって、実質的にスピーカ１３Ｒの円錐状開口を縮径できる。
【００６９】
図３において、絞り機構（シャッタ機構）５０は、基板２４に対して回動可能に配置された回転リング５１を備えている。回転リング５１は、基板２４の円形開口部２４ａの外延に当該円形開口部２４ａを囲むようにして配置されている。回転リング５１は、円環板状のリング部５１ａを有し、リング部５１ａの外縁に沿って、前方に突起する環状体５１ｂが設けられている。回転リング５１には、前方に突出する把持レバー５２が取り付けられており、把持レバー５２は、パネル体２２に形成された貫通孔２２ａを通過して、前面扉２からその一部（把持部分）が突出している（図２参照）。
【００７０】
図３において、絞り機構５０は、複数の絞り羽根５３を備えており、絞り羽根５３の各々は、略三角形状の外形を有している。基板２４には、円形開口部２４ａの周縁において等間隔に複数の軸ピン５４が立設されており、軸ピン５４よりも外側において、回転リング５１には軸ピン５４と同数のカム溝５５が形成されている。カム溝５５は、軌道の一端が環状体５１ｂの近傍に位置し、軌道の他端が径方向内側に位置する円弧状に形成されている。
【００７１】
前述のように、各絞り羽根５３は略三角形状であるから、三つの頂点部（以下隅部と呼ぶ）を有しており、ここでは、これら隅部を第１〜第３の隅部と呼ぶことにして、それぞれ符号５３ａ〜５３ｃを付す。図３において、第１の隅部５３ａには、絞り羽根５３の回転中心が規定され、この回転中心は、軸ピン５４と回動自在に連結されている。又、第２の隅部５３ｂには従動ピン５６が固定され、この従動ピン５６はカム溝５５に挿入されている。つまり、従動ピン５６はカム溝５５に案内される。
【００７２】
図３において、絞り機構５０は、６枚の絞り羽根５３と６本の軸ピン５４とを有しており、軸ピン５４にそれぞれ絞り羽根５３の回転中心が回動自在に連結され、絞り羽根５３は、円形開口部２４ａの周囲にその一部分が重なった状態で配置されている。
【００７３】
図３において、回転リング５１の環状体５１ｂには、径方向外側（遠心方向）に突出する突起部５７が形成されている。一方、基板２４には、一対のストップピン５８・５８が設けられている。一対のストップピン５８・５８は、回転リング５１の外側において、所定の円周（仮想円周）上に所定の距離、離間して配置されており、前述の突起部５７は上記の仮想円周を回転できる。
【００７４】
遊技中の遊技者がスピーカ１３Ｒの音量を調整しようとする際には、遊技者は把持レバー５２を回動操作して、音量を調整する（図１参照）。例えば、把持レバー５２を図３において実線矢印で示す方向（時計方向）に回動操作すると、回転リング５１が実線矢印で示す方向に回動する。回転リング５１の回動によって、回転リング５１に設けられたカム溝５５に案内（従動）されて、従動ピン５６が移動する。言い換えると、カム溝５５中を従動ピンが移動することになる。
【００７５】
従動ピン５６の移動によって、基板２４に設けられた軸ピン５４を回転中心として、絞り羽根５３が回動することになる。つまり、回転リング５１が時計方向に回動すると、従動ピン５６が図３に破線矢印で示す方向にカム溝５５中を移動することになって、絞り羽根５３が軸ピン５４回りに回動する。この場合、絞り羽根５３は円形開口部２４ａを閉じる方向に回動する。そして、複数の絞り羽根５３は共働的に回動することになって、第３の隅部５３ｃが円形開口部２４ａの絞り口径を変化させる。
【００７６】
回転リング５１の回動はストップピン５８によって規制されており、いま、図３において、実線で示す位置に突起部５７が位置する際、回転リング５１が実線矢印で示す方向に回動されると、突起部５７が二点鎖線で示す位置に達すると、突起部５７が右側のストップピン５８に当接して、回転リング５１の回動が規制される。
【００７７】
上述の状態で、把持レバー５２によって回転リング５１を実線矢印で示す方向と逆方向（反時計方向）に回動させると、従動ピン５６が図３に破線矢印で示す方向と逆方向にカム溝５５中を移動することになって、絞り羽根５３が軸ピン５４回りに回動する。この場合、絞り羽根５３は円形開口部２４ａを開く方向に回動する。そして、突起部５７が実線で示す位置に達すると、突起部５７が左側のストップピン５８に当接して、回転リング５１の回動が規制されることになる。つまり、回転リング５１は、一対のストップピン５８・５８で規定される回動範囲で揺動する。
【００７８】
このように、回転リング５１は、一対のストップピン５８・５８間の距離で規定される範囲で回動し、そして、この回動範囲に対応して円形開口部２４ａの絞り口径が変化することになる。スピーカ１３Ｒの円錐状開口は円形開口部２４ａに対向しているから、円形開口部２４ａの絞り口径を変化させることによって、実質的にスピーカ１３Ｒの円錐状開口の口径（つまり、面積）を変化できることになる。その結果、円形開口部２４ａの絞り口径を変化させれば、スピーカ１３Ｒの音量を調整できる。
【００７９】
なお、スピーカ１３Ｌにも同様の絞り機構が設けられており、この絞り機構によってスピーカ１３Ｌの音量が調整されることになる。又、図１に示すように、前面扉２の表面には、スピーカ１３Ｌ及び１３Ｌに近接して、音量ラベル６０Ｌ及び６０Ｒが表示されており、遊技者は、音量ラベル６０Ｌ又は６０Ｒで示す方向に把持レバー５２を操作すれば、音量を増方向又は減方向に容易に変化することができる。
【００８０】
上述の説明から明らかなように、回転リング５１は、カムとして機能し、各絞り羽根５３は、カムフォロワとして機能しており、カム溝５５の輪郭に案内されて所定の運動をする。そして、基板２４は、カム及びカムフォロワを支持するフレームとして機能する。つまり、回転リング５１と絞り羽根５３とは、カム装置を構成しており、このカム装置は、カムとカムフォロワの接触点の軌跡が平面曲線である平面カムとなっている。又、このカム装置は、カムフォロワの軌跡が拘束されて確実に運動する確動カムとなっている。
【００８１】
なお、上述の例では、絞り羽根５３の枚数を６枚としたが、絞り羽根５３の枚数は、円形開口部２４ａの半径などに応じて適宜に選択されるが、複数の絞り羽根５３は、共働的に回動するので、６枚の絞り羽根５３であれば、円形開口部２４ａを略正六角形の口径に縮径できることになる。又、円形開口部２４ａを最大に拡径として、絞り羽根５３の第３の隅部５３ｃが円形開口部を塞がない全開状態とすることもできる。
【００８２】
上述の例では、遊技機１が音響装置を２つ備える例について説明したが、遊技機１に音響装置を一つだけ備えるようにしてもよく、更に、所定距離、離間して一対に配置してよく（２スピーカシステム）、遊技機１の上下に一対一組に配置してもよい（４スピーカシステム）。
【００８３】
更に、絞り機構として、複数の絞り羽根５３を互いにリンクで連結し、一つの絞り羽根５３を移動することによって、複数の絞り羽根５３を共働的に回動して円形開口部２４ａの絞り口径を変えるリンク装置を用いるようにしてもよい。
【００８４】
このように、本発明による遊技機は、スピーカ１３Ｌ及び１３Ｒの出力を本体内部から操作することなく、外部からの操作（把持レバー５２の操作）によって、スピーカ１３Ｌ又は１３Ｒの開口面積を実質的にしかも物理的に可変して、個人差に対応して容易にスピーカの音量を調整できる。そして、上述のように、円形開口部２４ａが回転リング５１の回動に応じてその口径を複数の絞り羽根で変化させるようにしたので、コーン型スピーカの開口面積を無段階（略リニア）に外部から可変できる。
【図面の簡単な説明】
【００８５】
【図１】本発明による遊技機の一実施形態を示す斜視外観図である。
【図２】前記実施形態による遊技機に備わる音響装置の縦断面図である。
【図３】前記実施形態による遊技機に備わる音響装置に用いられる絞り機構の平面図である。
【符号の説明】
【００８６】
１  遊技機
１ａ  筐体
２  前面扉
１３Ｌ・１３Ｒ  スピーカ（コーン型スピーカ）
２０  音響装置
２４  基板（絞り手段）
２４ａ  円形開口部（開口）
５０  絞り機構（絞り手段）
５１  回転リング（絞り手段）
５２  把持レバー（レバー、絞り手段）
５３  絞り羽根（絞り手段）
５４  軸ピン（絞り手段）
５５  カム溝（絞り手段）
５６  従動ピン（絞り手段）
【図１】
2008264343.tif 000003
【図２】
2008264343.tif 000004
【図３】
2008264343.tif 000005